(57)【要約】  急性呼吸不全または重度の外傷の場合に呼吸支援を提供するための人工呼吸器システムが記載されている。人工呼吸器システムは、人工呼吸器およびチュービングシステムを備える。システムは、人工呼吸器が、吸気中および呼気中、送風機が作動しているときは常に送風機からの空気流に対して開くように構成された連続抽気弁を備え、それによって各呼気の終了時に患者の肺内に最小限の圧力−終末呼気陽圧（ＰＥＥＰ）を供給することを特徴とする。本発明の一実施形態では、システムは、人工呼吸器の主要作動要素を保持するように構成されたマニホールドブロックを備える。
2019506966.tif 000002
【特許請求の範囲】
【請求項１】
患者に呼吸支援を提供するための陽圧人工呼吸器システムであって、（ａ）加圧空気源と、マニホールドブロックと、連続抽気開口とを備える人工呼吸器と、（ｂ）前記人工呼吸器および前記患者に連結されたチュービングシステムとから構成される、人工呼吸器システムにおいて、
前記加圧空気源が前記人工呼吸器に加圧空気を供給するように作動している間常に、前記人工呼吸器が空気の連続的な流れを前記連続抽気開口を介して前記チュービングシステムに供給することを特徴とする、陽圧人工呼吸器システム。
【請求項２】
前記加圧空気源が、加圧ガス発生器、加圧ガスシリンダ、ピストンポンプ、多段ベーンポンプ、ルーツ送風機、ギヤポンプ、ボイスコイル組立体、遠心ポンプ、ダイヤフラムポンプ、ラジアル送風機、一段タービン、および多段タービンのうちの１つを備える、請求項１に記載の人工呼吸器システム。
【請求項３】
前記マニホールドブロックが、前記人工呼吸器の主要作動構成要素を保持し、前記マニホールドブロックは、その内部に、主吸気弁と、前記連続抽気開口と、前記人工呼吸器の主要作動構成要素を流体的に連結し、作動させるために必要とされるチューブおよびワイヤの少なくともほとんどとを備え、その外面には、吸気弁コントローラおよび呼気弁コントローラが取り付けられている、請求項１に記載の人工呼吸器システム。
【請求項４】
前記吸気弁コントローラおよび前記呼気弁コントローラの各々が、少なくとも１つのソレノイド弁を備える、請求項３に記載の人工呼吸器システム。
【請求項５】
流量計組立体であって、前記システム内の以下の場所：前記加圧空気源と前記マニホールドブロックとの間の人工呼吸器ハウジング内、前記マニホールドブロックと前記チュービングシステムとの間の前記人工呼吸器ハウジング内、および前記チュービングシステム上のうちの１つに配置される、流量計組立体を備える、請求項１に記載の人工呼吸器システム。
【請求項６】
前記流量計組立体が、ベンチュリ流量計、熱線風速計、インペラ流量計、超音波流量計、および光学式流量計の１つである、請求項５に記載の人工呼吸器システム。
【請求項７】
前記チュービングシステムが、一肢人工呼吸器では同じチューブである、吸入チューブおよび呼気チューブと、二肢人工呼吸器の場合、吸入チューブを呼気チューブに連結し、患者につながる接合部／コネクタとを含む、請求項３に記載の人工呼吸器システム。
【請求項８】
前記呼気チューブが呼気弁を備える、請求項７に記載の人工呼吸器システム。
【請求項９】
ＰＥＥＰ弁であって、前記システム内の以下の場所：呼気弁の下流、前記呼気弁の上流、前記呼気弁との組み合わせられた組立体内のうちの１つに配置される、ＰＥＥＰ弁を備える、請求項１に記載の人工呼吸器システム。
【請求項１０】
前記人工呼吸器が：酸素供給器、窒息防止弁、安全弁、前記患者への圧力を急速に低下させるバイパスソレノイド、前記加圧空気源内に連続的な高圧がある場合に前記ＰＥＥＰ弁を連結解除するソレノイド、およびネブライザーシステムに連結されたソレノイドの少なくとも１つを備える、請求項１に記載の人工呼吸器システム。
【請求項１１】
前記人工呼吸器が、プロセッサを備える、請求項３に記載の人工呼吸器システム。
【請求項１２】
前記プロセッサが、ユーザおよび／またはアルゴリズムもしくは複数のアルゴリズムからの入力に基づいて前記吸気弁コントローラ、前記呼気弁コントローラおよびそれらの組み合わせの作動をもたらすように構成され、また、酸素富化、一回換気量、毎分呼吸数、最大ピーク吸気圧（ＰＩＰ）および終末呼気陽圧（ＰＥＥＰ）のレベルを設定するようにも構成され、これらのパラメータの少なくとも１つは固定されてよく、または調整可能であってもよい、請求項１１に記載の人工呼吸器システム。
【請求項１３】
前記連続抽気開口が、小径の穴および比例ソレノイド抽気弁の一方または両方を備える、請求項１に記載の人工呼吸器システム。
【請求項１４】
前記連続抽気開口を通る空気流の体積が、前記主吸気弁を通る空気流の体積の１％〜１０％の範囲である、請求項１に記載の人工呼吸器システム。
【請求項１５】
前記主吸気弁の自由流れ面積に対する前記連続抽気開口の自由流れ面積の比が、２ｍｍ２対４００ｍｍ２である、請求項１に記載の人工呼吸器システム。
【請求項１６】
前記連続抽気開口が０．５から２．５ｍｍの間の直径を有し、その結果、５から５０ｃｍＨ２Ｏの間の圧力に基づいて、自由流れ条件下で毎分２から２０リットルの間の体積流量を生じる、請求項１に記載の人工呼吸器システム。
【請求項１７】
吸気サイクル中、前記呼気弁は空気流に対して閉じられ、前記主吸気弁を通って流れる空気のストリームは、前記連続抽気開口を通って流れる空気のストリームと組み合わさり、前記組み合わせられたストリームは、前記吸入チューブを通り、前記接合部／コネクタを過ぎて前記患者まで流れる、請求項８に記載の人工呼吸器システム。
【請求項１８】
呼気サイクル中、前記主吸気弁が空気流に対して閉じられ、前記連続抽気開口を通って流れる空気のストリームは、前記吸入チューブに流入し、接合／コネクタを過ぎ、前記患者から呼気チューブ内に流れる呼気空気のストリームと組み合わさり、前記組み合わせられたストリームは、前記呼気弁および前記ＰＥＥＰ弁を流れ抜けて、外気中に出る、請求項８に記載の人工呼吸器システム。
【請求項１９】
前記マニホールドブロックが、前記加圧空気源の内側に配置される、請求項１に記載の人工呼吸器システム。
【請求項２０】
前記マニホールドブロックが、１５〜１００ｃｍ３の範囲内の容積を有する、請求項１に記載の人工呼吸器システム。
【請求項２１】
前記人工呼吸器の重量が、０．６〜１．６ｋｇの範囲内である、請求項１に記載の人工呼吸器システム。
【請求項２２】
前記主吸気弁が、ダイヤフラムを起動させて上下に移動させて、流体通路を開閉させることによって作用する、請求項３に記載の人工呼吸器システム。
【請求項２３】
患者に呼吸支援を提供するための陽圧人工呼吸器システムで使用するためのマニホールドブロックであって、その内部に、主吸気弁と、連続抽気開口と、前記人工呼吸器の主要作動構成要素を連結し、作動させるために必要とされるチューブおよびワイヤの少なくともほとんどとを備える、マニホールドブロック。
【請求項２４】
外面に取り付けられた吸気弁コントローラおよび呼気弁コントローラを備える、請求項２３に記載のマニホールドブロック。
【請求項２５】
前記連続抽気開口が、小径の穴および比例ソレノイド抽気弁の一方または両方を備える、請求項２３に記載のマニホールドブロック。
【請求項２６】
前記連続抽気開口を通る空気流の体積が、前記主吸気弁を通る空気流の体積の１％〜１０％の範囲である、請求項２３に記載のマニホールドブロック。
【請求項２７】
前記主吸気弁の自由流れ面積に対する前記連続抽気開口の自由流れ面積の比が、２ｍｍ２対４００ｍｍ２である、請求項２３に記載のマニホールドブロック。
【請求項２８】
前記マニホールドブロックが、１５〜１００ｃｍ３範囲内の容積を有する、請求項２３に記載のマニホールドブロック。
【請求項２９】
陽圧人工呼吸器システムに連結された患者の呼吸通路内で終末呼気陽圧（ＰＥＥＰ）の所定の値を維持する方法であって、前記人工呼吸器システムは、加圧空気源と、主吸気弁と、吸入チューブと、呼気チューブと、呼気弁と、ＰＥＥＰ弁と、プロセッサと、連続抽気開口とから構成され、
前記方法は、前記加圧空気源を起動させることと、前記人工呼吸器システム内の前記弁を、
ａ）吸気サイクル中、前記主吸気弁が空気流に対して開かれ、前記呼気弁が空気流に対して閉じられ、前記連続抽気開口が空気流に対して開かれ、それによって前記主吸気弁を通って流れる空気のストリームが前記連続抽気開口を通って流れる空気のストリームと組み合わさり、前記組み合わせられたストリームは前記吸入チューブを通って前記患者まで流れるように、そして
ｂ）呼気サイクル中、前記主吸気弁が空気流に対して閉じられ、前記呼気弁が空気流に対して開かれ、前記連続抽気開口が空気流に対して開かれ、それによって前記連続抽気を通って流れる空気のストリームが前記吸入チューブ内に流れ、前記患者から前記呼気チューブ内に流れる呼気空気のストリームと組み合わさり、前記組み合わせられたストリームは前記呼気弁を通って流れ、前記圧力がＰＥＥＰの前記所定値を上回るときはいつでも、前記組み合わせられたストリームは前記ＰＥＥＰ弁を流れ抜けて外気中に出るように制御するように前記プロセッサを構成することとを含む、方法。
【請求項３０】
前記連続抽気開口が、小径の穴および比例ソレノイド抽気弁の一方または両方を備える、請求項２９に記載の方法。
【請求項３１】
前記連続抽気開口を通る空気流の体積が、前記主吸気弁を通る空気流の体積の１％〜１０％の範囲である、請求項２９に記載の方法。
【請求項３２】
前記主吸気弁の自由流れ面積に対する前記連続抽気開口の自由流れ面積の比が、２ｍｍ２対４００ｍｍ２である、請求項２９に記載の方法。
【請求項３３】
前記主吸気弁の自由流れ面積に対する前記連続抽気開口の自由流れ面積の比が、２ｍｍ２対４００ｍｍ２である、請求項２９に記載の方法。
【発明の詳細な説明】
【技術分野】
【０００１】
本発明は、医療装置の分野からものである。特に、本発明は、急性呼吸不全または重度の外傷の場合に呼吸支援を提供するための人工呼吸器システムを対象とする。
【背景技術】
【０００２】
陽圧式人工呼吸器は、駆動機構を通して空気を押し込むことによって作用し、それによって患者の気道内の圧力を大気圧に対して上昇させ、結果として肺を膨張させる。このような呼吸支援を提供するのに適した、現在知られている人工呼吸器は、通常大きく、重いものであり（約３．５〜１０キログラム程度）、装置の空気作動のために別個の酸素シリンダを必要とすることがあり、これは、全体的な輸送重量を増加させる。さらに、克服しなければならない多くの技術的問題があり、これに対する適切な解決策はまだ見出されていない。例えば、各呼気の終わりに、終末呼気陽圧（ＰＥＥＰ）として知られている最小限の圧力を患者の肺内に供給することが必要である。知られている人工呼吸器は、ＰＥＥＰを様々な方法で制御し、例えば人工呼吸器の内部に設置された外部パイロット操作弁またはその複数の弁を制御して患者の肺内のガスを放出する、または患者回路呼気肢（または一肢回路）に取り付けられたパイロット操作弁を比例制御することによって呼気圧を制御するなどがある。加えて、知られているタービン操作式人工呼吸器では、（トリガード呼吸または自発呼吸とも呼ばれる）迅速に自発的に開始する呼吸を患者に支援することは難しいが、これは、例えば急速呼吸が必要とされる場合に重要になり得る。
【０００３】
ＶａｎＤｉｊｋらの米国特許出願公開第２０１１／０２３２６４０号明細書は、弁組立体を有する送風機駆動人工呼吸器、ならびに呼吸中に弁組立体を制御するためのシステムおよび方法を教示している。しかし、そこに開示された弁組立体は、空気を患者に「戻す」ことを基本とする特定のＰＥＥＰ制御機構を提供しているが、これは、中央の処理装置（ＣＰＵ）リソースにより、タービンの加速、故にエネルギー資源を浪費を伴う非常に小さい漏れに対する補償の必要性により、またはハウジングと、タービンからの流れが患者の方向にそこを通って押し込まれるオリフィスとの間に、非常に小さな隙間を開かなければならないことにより、ＰＥＥＰを制御するための最適な方法とならないことがある。さらに、そこに開示されている弁組立体は、弁組立体自体内で外気との連結を必要とし、その結果、漏れ補償のための送風機ロータの加速が必要となることがあり、および／またはＣＯ２が蓄積する可能性がある。
【０００４】
ＤｅＶｒｉｅｓ他の米国特許公開第８，１１８，０２４号明細書は、吸気の開始時に呼気弁の閉鎖を容易にし、ＰＥＥＰを調整するためのバイアス弁を有する携帯用人工呼吸器を開示している。この場合、バイアス弁は、ＲＯＯＴＳ（商標登録）送風機によって生み出された脈動空気を減衰するために使用される。この弁の動的応答は、ヒステリシスカーブを引き起こす予荷重の力に基づいて作動し、すなわち、バイアス圧力が４ｃｍＨ２Ｏに設定された場合、流量は、４リットル毎分（ｌｐｍ）になるようにされる。このシステムは、いくつかの欠点を有することがあり、例えば、流れおよび／または圧力の変動、高速応答制御システムの必要性（１０ｍｓｅｃ応答時間の程度）、および直動式アクチュエータによる比較的高い電力消費を含む。
【先行技術文献】
【特許文献】
【０００５】
【特許文献１】米国特許出願公開第２０１１／０２３２６４０号明細書
【特許文献２】米国特許公開第８，１１８，０２４号明細書
【発明の概要】
【発明が解決しようとする課題】
【０００６】
したがって、本発明の目的は、最小のエネルギー消費でＰＥＥＰおよび吸気速度を最適に制御することができる軽量の携帯用人工呼吸器を提供することである。
【０００７】
本発明のさらなる目的および利点は、説明が進むにつれて明らかになるであろう。
【課題を解決するための手段】
【０００８】
第１の態様では、本発明は、患者に呼吸支援を提供するための陽圧人工呼吸器システムである。人工呼吸器システムは、（ａ）加圧空気源と、マニホールドブロックと、連続抽気開口とを備える人工呼吸器と、（ｂ）人工呼吸器および患者に連結されたチュービングシステムとから構成される。人工呼吸器システムは、加圧空気源が人工呼吸器に加圧空気を供給するように作動している間常に、人工呼吸器が空気の連続的な流れを連続抽気開口を介してチュービングシステムに供給することを特徴とする。
【０００９】
人工呼吸器システムの実施形態では、加圧空気源は、加圧ガス発生器、加圧ガスシリンダ、ピストンポンプ、多段ベーンポンプ、ルーツ送風機、ギヤポンプ、ボイスコイル組立体、遠心ポンプ、ダイヤフラムポンプ、ラジアル送風機、一段タービン、および多段タービンの１つを備える。
【００１０】
人工呼吸器システムの実施形態では、マニホールドブロックは、人工呼吸器の主要作動構成要素を保持する。マニホールドブロックは、その内部に、主吸気弁と、連続抽気開口と、人工呼吸器の主要作動構成要素を流体的に連結し、作動させるために必要とされるチューブおよびワイヤの少なくともほとんどとを備え、その外面には、吸気弁コントローラおよび呼気弁コントローラが取り付けられている。
【００１１】
人工呼吸器システムの実施形態では、吸気弁コントローラおよび呼気弁コントローラの各々は、少なくとも１つのソレノイド弁を備える。
【００１２】
人工呼吸器システムの実施形態は、システム内の以下の場所：加圧空気源とマニホールドブロックとの間の人工呼吸器ハウジング内、マニホールドブロックとチュービングシステムとの間の人工呼吸器ハウジング内、およびチュービングシステム上のうちの１つに配置された流量計組立体を備える。流量計組立体は、ベンチュリ流量計、熱線風速計、インペラ流量計、超音波流量計、および光学式流量計の１つとすることができる。
【００１３】
人工呼吸器システムの実施形態では、チュービングシステムは、一肢人工呼吸器では同じチューブである吸入チューブおよび呼気チューブと、二肢人工呼吸器の場合は、吸入チューブを呼気チューブに連結し、患者につながる接合部／コネクタとを含む。人工呼吸器システムの実施形態では、呼気チューブは呼気弁を備える。
【００１４】
人工呼吸器システムの実施形態は、システム内の以下の場所：呼気弁の下流、呼気弁の上流、呼気弁との組み合わせられた組立体内のうちの１つに配置されたＰＥＥＰ弁を備える。
【００１５】
人工呼吸器システムの実施形態では、人工呼吸器は、酸素供給器、窒息防止弁、安全弁、患者への圧力を急速に低下させるバイパスソレノイド、加圧空気源内に連続的な高圧がある場合にＰＥＥＰ弁を連結解除するソレノイド、およびネブライザーシステムに連結されたソレノイドの少なくとも１つを備える。
【００１６】
人工呼吸器システムの実施形態では、人工呼吸器はプロセッサを備える。これらの実施形態では、プロセッサは、ユーザおよび／またはアルゴリズムもしくは複数のアルゴリズムからの入力に基づいて、吸気弁コントローラ、呼気弁コントローラおよびそれらの組み合わせの作動をもたらすように構成され、また、酸素富化、一回換気量、毎分呼吸数、最大ピーク吸気圧（ＰＩＰ）および終末呼気陽圧（ＰＥＥＰ）のレベルを設定するようにも構成され、これらのパラメータの少なくとも１つは固定されてもよく、または調整可能であってもよい。
【００１７】
人工呼吸器システムの実施形態では、連続抽気開口は、小径の穴および比例ソレノイド抽気弁の一方または両方を備える。
【００１８】
人工呼吸器システムの実施形態では、連続抽気開口を通る空気流の体積は、主吸気弁を通る空気流の体積の１％〜１０％の範囲である。
【００１９】
人工呼吸器システムの実施形態では、主吸気弁の自由流れ面積に対する連続抽気開口の自由流れ面積の比は、２ｍｍ２対４００ｍｍ２である。
【００２０】
人工呼吸器システムの実施形態では、連続抽気開口は、０．５から２．５ｍｍの間の直径を有し、その結果、５から５０ｍＨ２Ｏ間の圧力に基づいて、自由流れ条件下で、毎分２から２０リットルの間の体積流量を生じる。
【００２１】
人工呼吸器システムの実施形態では、吸気サイクル中、呼気弁は空気流に対して開かれ、主吸気弁を通って流れる空気のストリームは、連続抽気開口を通って流れる空気のストリームと組み合わさり、組み合わせられたストリームは、吸入チューブを通り、接合部／コネクタを過ぎて患者まで流れる。
【００２２】
人工呼吸器システムの実施形態では、呼気サイクル中、主吸気弁は、空気流に対して閉じられ、連続抽気開口を通って流れる空気のストリームは、吸入チューブ内に流れて接合部／コネクタを過ぎ、患者から呼気チューブ内に流れる呼気空気のストリームと組み合わさり、組み合わせられたストリームは、呼気弁およびＰＥＥＰ弁を流れ抜けて、外気中に出る。
【００２３】
人工呼吸器システムの実施形態では、マニホールドブロックは、加圧空気源の内側に配置される。
【００２４】
人工呼吸器システムの実施形態では、マニホールドブロックは、１５ｃｍ３〜１００ｃｍ３の範囲内の容積を有する。
【００２５】
人工呼吸器システムの実施形態では、人工呼吸器の重量は、０．６〜１．６ｋｇの範囲内である。
【００２６】
人工呼吸器システムの実施形態では、主吸気弁は、ダイヤフラムを起動させて上下に移動させて、流体通路を開閉させることによって作用する。
【００２７】
第２の態様では、本発明は、患者に呼吸支援を提供するための陽圧人工呼吸器システムで使用するためのマニホールドブロックである。マニホールドブロックは、その内部に、主吸気弁と、連続抽気開口と、人工呼吸器の主要作動構成要素を連結し、作動させるために必要とされるチューブおよびワイヤの少なくともほとんどとを備える。
【００２８】
マニホールドブロックの実施形態は、その外面に取り付けられた吸気弁コントローラおよび呼気弁コントローラを備える。
【００２９】
マニホールドブロックの実施形態では、連続抽気開口は、小径の穴および比例ソレノイド抽気弁の一方または両方を備える。
【００３０】
マニホールドブロックの実施形態では、連続抽気開口を通る空気流の体積は、主吸気弁を通る空気流の体積の１％〜１０％の範囲である。
【００３１】
マニホールドブロックの実施形態では、主吸気弁の自由流れ面積に対する連続抽気開口の自由流れ面積の比は、２ｍｍ２対４００ｍｍ２である。
【００３２】
マニホールドブロックの実施形態は、１５〜１００ｃｍ３内の範囲内の容積を有する。
【００３３】
第３の態様では、本発明は、陽圧人工呼吸器システムに連結された患者の呼吸通路内で終末呼気陽圧（ＰＥＥＰ）の所定の値を維持する方法である。人工呼吸器システムは、加圧空気源と、主吸気弁と、吸入チューブと、呼気チューブと、呼気弁と、ＰＥＥＰ弁と、プロセッサと、連続抽気開口とから構成される。方法は、加圧空気源を起動させることと、人工呼吸器システム内の弁を、
ａ）吸気サイクル中、主吸気弁が空気流に対して開かれ、呼気弁が空気流に対して閉じられ、連続抽気開口が空気流に対して開かれ、それによって主吸気弁を流れる空気のストリームが連続抽気開口を通って流れる空気のストリームと組み合わさり、組み合わせられたストリームは吸入チューブを通って患者まで流れるように、そして
ｂ）呼気サイクル中、主吸気弁が空気流に対して閉じられ、呼気弁が空気流に対して開かれ、連続抽気開口が空気流に対して開かれ、それによって連続抽気開口を通って流れる空気のストリームが吸入チューブ内に流れ、患者から呼気チューブ内に流れる呼気空気のストリームと組み合わさり、組み合わせられたストリームは呼気弁を通って流れ、
圧力がＰＥＥＰの所定値を上回るときはいつでも、組み合わせられたストリームはＰＥＥＰ弁を流れ抜けて外気中に出るように制御するようにプロセッサを構成することとを含む。
【００３４】
方法の実施形態では、連続抽気開口は、小径の穴および比例ソレノイド抽気弁の一方または両方を備える。
【００３５】
方法の実施形態では、連続抽気開口を通る空気流の体積は、主吸気弁を通る空気流の体積の１％〜１０％の範囲である。
【００３６】
方法の実施形態では、主吸気弁の自由流れ面積に対する連続抽気開口の自由流れ面積の比は、２ｍｍ２対４００ｍｍ２である。
【００３７】
方法の実施形態では、主吸気弁の自由流れ面積に対する連続抽気開口の自由流れ面積の比は、２ｍｍ２対４００ｍｍ２である。
【００３８】
本発明の上記および他の特徴および利点は、添付の図面を参照しながら、その実施形態の以下の説明的および非限定的な説明を通してさらに理解されるであろう。
【図面の簡単な説明】
【００３９】
【図１Ａ】人工呼吸器システムの実施形態の概略ブロック図である。
【図１Ｂ】人工呼吸器システムの実施形態の概略ブロック図である。
【図２Ａ】吸気サイクル中の空気の流れをさらに示す、図１Ａの概略ブロック図である。
【図２Ｂ】吸気サイクル中の空気の流れをさらに示す、図１Ｂの概略ブロック図である。
【図３Ａ】呼気サイクル中の空気の流れをさらに示す図１Ａの概略ブロック図である。
【図３Ｂ】呼気サイクル中の空気の流れをさらに示す図１Ｂの概略ブロック図である。
【図４】異なる視角から示す、図１Ｂの人工呼吸器に取り付けられた流量計組立体を備えた、マニホールドブロック組立体の概略斜視図である。
【図５】異なる視角から示す、図１Ｂの人工呼吸器に取り付けられた流量計組立体を備えた、マニホールドブロック組立体の概略斜視図である。
【図６】図４のマニホールドブロックの概略断面図である。
【図７】図５のマニホールドブロックの概略断面図である。
【図８】図１のシステムの気圧回路図である。
【図９Ａ】主吸気弁の一実施形態を示す概略的な部分切断図である。
【図９Ｂ】主吸気弁の一実施形態における、ダイヤフラムを定位置に保持するために使用されるスペーサの一部分の概略斜視図である。
【図１０】流量計に連結されていないマニホールドブロックの一実施形態の概略斜視図である。
【発明を実施するための形態】
【００４０】
以下の詳細な説明では、本発明の完全な理解を提供するために、多くの具体的な詳細が述べられている。当業者であれば、これらの特定の詳細なしに本発明の実施形態を実施することができることを理解するであろう。他の例では、本発明を不明瞭にしないために、周知の方法、手順、構成要素および構造を詳細に説明していないことがある。
【００４１】
本発明の少なくとも１つの実施形態を詳細に説明する前に、本発明は、その適用において、以下の説明に記載されるか、または図面に示される構成要素の構造および配置の詳細に限定されないことを理解されたい。本発明は、他の実施形態が可能であるか、または様々な方法で実施または実行することができる。また、本明細書で使用される表現および用語は、説明のためのものであり、限定的であるとみなされるべきではないことを理解されたい。
【００４２】
次に、本発明の実施形態による人工呼吸器システムの一実施形態の概略ブロック図である図１Ａを参照する。人工呼吸器システム１００は、人工呼吸器１０と人工呼吸器１０を患者に連結するためのチュービングシステム９０とを含む。人工呼吸器１０は、簡略化のために、本明細書ではタービン２２と呼ばれる、加圧ガス、例えば空気を患者に供給するための供給源を含むが、当業者であれば、代替的に、加圧ガスを任意の加圧ガス発生器／供給源によって供給することができることを理解するであろう。適切な「タービン」の例は、それだけに限定されないが、加圧ガスシリンダ、ピストンポンプ、多段ベーンポンプ、ルーツ送風機、ギヤポンプ、ボイスコイル組立体、遠心ポンプ、ダイヤフラムポンプ、ラジアル送風機、一段タービン、多段タービン、または当業界で一般的に知られている任意の他の送風機を含む。タービン２２は、マニホールド組立体４０に連結されている。マニホールド組立体４０は、主吸気弁４２および連続抽気開口４７を備える。主吸気弁４２は、吸気弁コントローラ４３、例えばソレノイド弁によって制御される。いくつかの実施形態では、吸気弁コントローラ４３は、１つまたは複数の吸気弁コントローラを含む。
【００４３】
図１に示す実施形態では、マニホールド組立体４０は、チュービング組立体９０上の人工呼吸器１０の外側に配置された流量計組立体７０に連結される。流量計組立体７０は、人工呼吸器の出口を通る流量を測定し、感知チューブ２００を介して、プロセッサ６５（例えばＣＰＵ）に接続されたセンサに圧力差を報告する。この流量は、次いで、算出／補償され、この算出に基づいて、人工呼吸器は所定の／所望の体積のガスを患者に供給する。
【００４４】
チュービングシステム９０は、吸入チューブ９２および呼気チューブ９４を含む。二肢人工呼吸器の場合、チュービングシステムは、吸入チューブ９２を呼気チューブ９４に連結し、患者につながる接合部／コネクタ９６を含む。呼気チューブ９４は、さらに、呼気弁８０と、呼気弁８０の下流にある外部ＰＥＥＰ弁８８とを含む。他の実施形態では、外部ＰＥＥＰ弁８８は、呼気弁８０の上流にあり、あるいはＰＥＥＰ弁８８は呼気弁８０との組立体とすることができる。
【００４５】
マニホールド組立体４０はまた、呼気弁８０の開閉を制御する呼気弁コントローラ８４を備える。いくつかの実施形態では、呼気弁コントローラ８４は、１つ以上の呼気弁コントローラを含む。呼気弁８０は、呼気弁制御チューブ８１を介して呼気弁コントローラ８４に接続される。マニホールド組立体４０内に示すすべての流路すなわち空気ソレノイド弁に圧力を供給するための導管２０４、抽気導管４９、および呼気弁制御チューブ８１は、チューブではなく、本明細書の以下で説明するように、マニホールドの壁内に作り出されるトンネルであることが留意される。
【００４６】
酸素供給器２６は、任意選択により、人工呼吸器１０内に含まれ、必要なときに、タービン２２に供給された空気に加えて酸素源から酸素を供給する。プロセッサ／ＣＰＵ６５は、人工呼吸器１０内に含まれ、ユーザおよび／またはアルゴリズムまたは複数のアルゴリズムから入力に基づいて、吸気弁コントローラ４３、呼気弁コントローラ８４、およびその組み合わせの作動をもたらす。プロセッサ６５は、酸素富化レベル（必要な場合）、１回換気量、毎分呼吸数、最大ピーク吸気圧（ＰＩＰ）、および終末呼気陽圧（ＰＥＥＰ）のレベルを設定することもできる。これらのパラメータのいずれかまたはすべては、固定されてよく、または調整可能であってもよい。
【００４７】
任意選択により、人工呼吸器１０は、さらに、タービンが適切に機能しなくなった場合に呼吸を可能にするために、タービンをバイパスする窒息防止弁８５（図９を参照）を含む。人工呼吸器システム１００内に他の特徴、例えば安全弁９９（図９を参照）、患者への圧力を急速に低下させるバイパスソレノイド、タービンに連続的な高圧がある場合にＰＥＥＰ弁を連結解除する追加のソレノイド、および患者へのエアロゾル療法を可能にするネブライザーシステムに連結することができる追加のソレノイドなどが含まれてよいことが容易に明らかであるはずである。簡略化のために、これらの後の要素は、本図には含まれていない。
【００４８】
図１Ｂは、本発明の実施形態による人工呼吸器システムの別の実施形態の概略ブロック図である。人工呼吸器システム１００’は、図１Ａの人工呼吸器システム１００のすべての構成要素を備える。２つの実施形態間の相違は、人工呼吸器システム１００’では、流量計組立体７０は、チュービング組立体９０ではなく人工呼吸器１０のハウジング内に配置されることである。
【００４９】
図示しない別の実施形態では、流量計組立体７０は、タービン２２とマニホールド組立体４０との間に配置される。流量計組立体７０の位置に関係なく、吸気中、加圧ガス（例えば、空気）が、タービン２２を介してマニホールド組立体４０を通ってチュービングシステム９０内に送られる。
【００５０】
人工呼吸器システムのいくつかの実施形態では、マニホールド組立体４０が、タービン２２に組み込まれてもよい。
【００５１】
次に、吸気サイクル中の空気の流れをそれぞれ示す図１Ａおよび図１Ｂのブロック図である図２Ａおよび図２Ｂ、ならびに呼気サイクル中の空気の流れをそれぞれ示す図１Ａおよび図１Ｂのブロック図である、図３Ａおよび図３Ｂを参照する。呼吸サイクルの両段階において、外気がタービン２２に導入される。図２Ａおよび図２Ｂにおいて矢印１１０によって示す吸気サイクル中、タービン２２からの加圧空気は、吸気弁コントローラ４３の作動を介して空気流に対して開いている主吸気弁４２内、およびいくつかの実施形態では抽気導管４９を介して空気流に対して常に開いている小径の穴である連続抽気開口４７内の両方に流れる。他の実施形態では、必要に応じて穴のサイズを縮小または増加させるために使用される比例ソレノイド抽気弁が使用される。本発明の実施形態では、連続抽気開口４７は、小径の穴および比例ソレノイド弁の両方を備えることができる。この人工呼吸器の実施形態は、ＰＥＥＰに関与する内部比例弁を備え、本明細書に説明する人工呼吸器のように外部ＰＥＥＰ弁を備えない。この場合、ソレノイド抽気弁は、時に閉じられてよい。
【００５２】
連続抽気開口４７を通る空気流の体積は、主吸気弁４２を通る空気流の体積に比べて小さい。いくつかの実施形態では、連続抽気開口４７を通る空気流の体積は、主吸気弁４２を通る空気流の体積の１％から１０％の範囲である。２つの弁の自由流れ面積の典型的な（しかし限定されない）比は、２ｍｍ２対４００ｍｍ２である。これら２つの空気のストリームは、次いで、組み合わさり、吸入チューブ９２を抜け、接合部／コネクタ９６を過ぎて、患者まで流れる。このサイクル中、呼気弁８０は、呼気弁コントローラ８４の作動により空気流に対して閉じられる。吸気弁コントローラ４３および呼気弁コントローラ８４の両方が、主吸気弁４２および呼気弁８０の開閉が良好に調整されるようにプロセッサ６５によって起動されることは容易に明らかであるはずである。
【００５３】
図３Ａおよび図３Ｂに矢印１２０で示すような呼気サイクル中、タービン２２からの加圧空気は、吸気弁コントローラ４３の作動により主吸気弁４２を通って流れるのが阻止されるが、抽気導管２０６を介して空気流に対して開いている連続抽気開口４７を通って流れる。連続抽気開口４７を通る空気流の体積は比較的小さい。例えば、連続抽気開口４７は、０．５から２．５ｍｍの間の直径を有する穴であってよく、その結果、５〜５０ｃｍＨ２Ｏの間の圧力に基づき、自由流れ条件下で２〜２０リットル毎分（ｌｐｍ）の間の体積を生じさせる。空気は、連続抽気開口４７から吸入チューブ９２内に流れ、接合部／コネクタ９６を過ぎ、患者から呼気チューブ９４内に流れる呼気空気と組み合わせられる。このサイクルの間、呼気弁８０は、呼気弁コントローラ８４によって空気流に対して開かれる。患者および連続抽気開口４７から流れる空気は、呼気弁８０を流れ抜け、ＰＥＥＰ弁８８に入り、外気中に出る。吸気弁コントローラ４３および呼気弁コントローラ８４の両方が、主吸気弁４２および呼気弁８０の開閉が良好に調整されるようにプロセッサ６５によって起動されることは容易に明らかであるはずである。
【００５４】
連続抽気開口４７が、タービンが運転されている間、常に連続的な空気の流れを供給することが、本発明の特徴である。連続的な空気流のこの設計は、知られている人工呼吸器システムを上回るいくつかの利点を提供する。知られているシステムでは、より多くの空気が患者に必要とされる場合、タービンの毎分回転（ＲＰＭ）は、追加の体積流量に対応するために増大されなければならない。これは、エネルギー消費量の増加を招き、その結果、全体的な動力およびサイズの要件が大きくなる。
【００５５】
本発明では、呼気弁が開いているので、０〜３０ｃｍＨ２Ｏの範囲内とすることができ、たいていの場合は５ｃｍＨ２Ｏである、予め設定されたＰＥＥＰ値よりも患者回路および患者の肺の背圧が高い限り、空気は、呼気段階中にＰＥＥＰ弁を連続的に通過する。ＰＥＥＰ弁は、呼気段階中、予め設定された圧力を維持し、抽気開口４７を使用することにより、（例えば、フェイスマスク、気管内チューブ、チューブコネクタからの）小さな漏れの感知、算出または評価の必要性が排除される。従来の技術では、これらの流れの漏れは、タービンのＲＰＭを増大させることによって、または呼気弁を部分的に閉じることによって補償される。これらの作用は、多量のエネルギーおよび追加の計算力の両方を必要とする。
【００５６】
さらに、肺虚脱を防止し、酸素拡散を増加させるためにＰＥＥＰ圧力を供給しなければならないことが知られている。すなわち、患者の肺には常に最小の空気圧が必要である。知られている人工呼吸器システムでは、タービン操作式人工呼吸器内のＰＥＥＰ圧力は、いくつかの可能な方法によってもたらされる：Ａ）一定ＰＥＥＰ弁を使用し、様々な呼吸サイクル中にタービンを加速および減速する。Ｂ）要求された呼吸サイクル（吸気／呼気）ごとの高速の圧力増減を可能にするために、タービン出口に連結された比例弁または絞り弁によって圧力ラインを制御し、タービンの出口と入口との間に空気バイパスを形成する。Ｃ）タービンから患者への吸気経路を直接遮断し、それによって呼気サイクルおよび吸気サイクルを作り出す。
【００５７】
タービンのＲＰＭが一定であるほど、人工呼吸器は電気的に効率性が良くなり、したがって、漏れ補償または患者への流れの突然の増加によるＲＰＭ変動を防止する上で大きな利点がある。図１Ａおよび図１Ｂの人工呼吸器システム１００および１００’では、連続抽気開口４７は、一定のＰＥＥＰをもたらしながら、患者回路からのガスの小さく制御可能な抽気をもたらすことによってＲＰＭの変動を防止する。
【００５８】
本明細書で使用する場合、用語「患者回路」は、例えば患者との間でガスを移動させる回路を指す。
【００５９】
呼気段階の初めに、流れの迅速な通過が存在し（通常、吸気段階中の流量の２倍、例えば４０ｌｐｍに対して８０ｌｐｍ、より大きい流量）、それによって、患者が吐くことを可能にする圧力に急な低下を作り出す。呼気段階の後、人工呼吸器１００は、呼気弁８０を閉じることによってＰＥＥＰを回復する。これが起こると、圧力が数１００ミリ秒で急激に低下する可能性がある（例えば、２０ｃｍＨ２Ｏ）。これが起こると、患者の肺および患者回路は数ｃｍＨ２Ｏだけ低下した圧力値を示すことがあり、時に、一定であり通常は５ｃｍＨ２Ｏの程度であるＰＥＥＰ値以下まで降下する可能性がある。圧力は、連続抽気開口４７および主弁４２の閉鎖を制御することによって回復され得る。
【００６０】
最後に、連続抽気開口４７の使用は、デッドスペースの連続的な希釈があるので、ＣＯ２の蓄積を防止する。さらに、外部ＰＥＥＰ弁の使用は、これが安全弁として働き、人工呼吸器内の圧力がどのようなものであっても、空気が人工呼吸器を流れ抜ける間、ＰＥＥＰ弁は５ｃｍＨ２Ｏで立ち上がるようにだけ開くため、圧力を気道内で一定に保つことに役立つ。
【００６１】
次に、異なる角度から示されたマニホールド組立体４０および流量計組立体７０の斜視図である図４および図５を参照する。本発明の特徴とするところは、マニホールド組立体４０がマニホールドブロック２４であって、主吸気弁４２と、連続抽気開口４７と、マニホールドブロック２４内の、マニホールド組立体４０を作動させるために必要とされるチューブおよびワイヤの大部分またはすべてとを含む人工呼吸器１０の主要作動構成要素を保持するように構成される、マニホールドブロック２４と、マニホールドブロック２４の外面に取り付けられた吸気弁コントローラ４３および呼気弁コントローラ８４とを備えることである。
【００６２】
マニホールドブロック２４は、１５〜１００ｃｍ３の範囲内の容積を有するコンパクトユニットである。１つの実施形態では、マニホールドブロックは、約４０ｍｍ×３５ｍｍ×３０ｍｍの寸法を有する。マニホールドブロック２４の使用は、人工呼吸器１０の全体的なサイズおよび重量を大きく最小化することを可能にする。典型的な実施形態では、人工呼吸器１０の重量は、例えば、現在知られている、はるかに大きく、通常は４．５ｋｇを下回らない重量のものである携帯用タービン操作式人工呼吸器よりも著しく改善された０．６〜１．６ｋｇの範囲内である。さらに、マニホールドブロック２４の使用は、空気制御要素のすべてを送風機２２の近くに集中させることができ、したがって、チューブ、導管およびチャネルの必要性を、マニホールドブロックの壁内にこれらを形成することによって排除する。
【００６３】
マニホールドブロック２４は、送風機２２に連結された送風機入力チューブ３６を有するマニホールドブロック近位端２８と、この実施形態では流量計組立体７０の出口１８を介して吸入チューブ９２に連結されたマニホールドブロック遠位端３０と、マニホールドブロック前部分３２と、マニホールドブロック後部分３４と、マニホールドブロック上部分３３と、マニホールドブロック下部分３５とを有する。これらの記号表示は、マニホールドブロック２４内の要素間の幾何学的関係を理解することができるように説明するためのものであり、限定としてみなされるべきではない。
【００６４】
送風機入力チューブ３６は、例えば送風機出力を受け入れるための円形または他の任意の適切な形状を有するコネクタであってよい。空気流は、送風機２２からマニホールドブロック近位端２８にある送風機入力チューブ３６を通って供給され、マニホールド組立体遠位端３０まで続き、出口１８を出て患者に至る。マニホールドブロック２４の外側に取り付けられて示すのは、この場合は２つのソレノイド４４および４６から構成された吸気弁コントローラ４３と、呼気弁コントローラ８４である。さらに図に見られるのは、流量計組立体７０、窒息防止弁の出口８６、ソレノイド弁排気口４５、呼気弁ポート８２、および流量計ポート７２および７４である。
【００６５】
次に、マニホールドブロック近位端２８から流量計組立体の出口１８へ空気流が進むにつれて空気が通過するマニホールド組立体４０および流量計組立体７０を示すマニホールドブロック２４の断面図である図６および図７を参照する。図６は、マニホールドブロック近位端２８から出口１８までの長手方向切断を横切って後方から見た断面を示す。図７は、マニホールドブロック近位端２８から出口１８までの長手方向切断を横切って前方から見た断面を示す。マニホールド組立体４０は、主吸気コントローラ４３によって制御される主吸気弁４２を含む。主吸気コントローラ４３は、例えば、１つまたは複数のソレノイドを備えることができる。本明細書に示す実施形態では、主吸気コントローラ４３は、図４、５、および７に見られるような第１のソレノイド４４および第２のソレノイド４６を含む。主吸気弁４２は、呼吸サイクルの吸気部分中開かれ（オフにされ）、呼吸サイクルの呼気部分中に閉じられる（オンされる）ように構成されている。主吸気コントローラ４３は、さらに、エネルギーの損失を最小限に抑えるために送風機入力チューブ３６に連結され得る（図４および図５に示す）弁排気口４５を含む。弁排気口４５は、酸素が人工呼吸器１０に放出されないことを保証するために、主吸気弁４２内の内部圧力の通気をもたらす。弁排気口４５は、人工呼吸器内の所定の酸素濃度を超えないように入口に連結される。
【００６６】
第１のソレノイド４４および第２のソレノイド４６のような２つ以上のコントローラの使用は、主吸気弁４２の開閉の速度および持続時間のための多種多様な制御オプションを提供する。本明細書に示す例では、２つのソレノイドが使用され、各ソレノイドは別々のタイミング機構でプログラムされていてもよく、例えば、一方のソレノイドは急速に開くことができ、他方のソレノイドはゆっくりと開くことができる。したがって、異なる速度でこのようなソレノイドを２つ使用すると、３つの速度オプションが得られる。例えば、ソレノイド４４が第１の速度を有し、第２のソレノイド４６が第２の速度を有する場合、第１のソレノイド４４のみを用いて第１の速度で、第２のソレノイド４６のみを用いて第２の速度で、または第１および第２のソレノイド４４および４６の両方を用いて第３の速度で吸気が起こり得る。可能な速度の数は、主吸気コントローラ４３に追加のソレノイドを追加することによってさらに増加され得る。様々なオプションは、離散制御ではなく、比例制御を有するソレノイドの１つまたは複数によって増加することがきる。この構成の１つの特定の使用は、突然の吸入が必要とされる場合である。したがって、ソレノイドの１つは、そのような場合に非常に速い速度を有するようにプログラムすることができる。複数の弁の使用は、呼吸の開始中、圧力曲線のスロープに対する制御をもたらす。非限定的な例において、呼吸は、圧力変化（吸気の試みは、患者の肺に形成された負圧によって特徴付けられる）、流れ変化または患者の筋肉内で検出された電気信号によっても特徴付けられる。検出時間は、（方法に応じて）１から５０ミリ秒の間の範囲とすることができ、ソレノイド起動（流れの開始）は、１から５０ｍ秒の間で変動し得る。流れの発生が呼吸努力の検出後５０ｍｓｅｃ以内に始まる場合、高速応答と考えられる。
【００６７】
送風機２２と流体連通している送風機入力チューブ３６は、送風機入力チューブ近位端３７および送風機入力チューブ遠位端３８を有する。送風機入力チューブ遠位端３８において、吸気弁の第１のコネクタ５０が送風機入力チューブ３６および主吸気弁４２に連結される。吸気弁の第１のコネクタ５０は、送風機入力チューブ３６に対して実質的に垂直に配置され、それにより、空気は、近位から遠位の方向に送風機入力チューブ３６から吸気弁の第１のコネクタ５０内に、および下から上の方向に吸気弁の第１のコネクタ５０から主吸気弁４２に流れる。加えて、吸気弁の第１のコネクタ５０は、それ上に、連続抽気導管４９内につながる連続抽気開口４７を含む。連続抽気開口４７は、呼吸サイクルの吸気部分中および呼吸サイクルの呼気部分中、吸気弁の第１のコネクタ５０から連続抽気導管４９まで連続的に少量の空気流を供給する開口部である。本発明の実施形態では、主吸気弁４２は、連続抽気導管４９および送風機入力チューブ３６の上方の位置に配置される。他の位置も可能であることが容易に明らかであるはずである。主吸気弁４２および連続抽気導管４９の両方は、吸気弁の第２のコネクタ５８を介して吸気空気チューブ５２と流体連通する。吸気弁の第１のコネクタ５０と同様に、吸気弁の第２のコネクタ５８は、吸気空気チューブ５２に対して実質的に垂直に配置され、それにより、空気は、上から下の方向に主吸気弁４２から吸気弁の第２のコネクタ５８まで、および近位から遠位の方向に吸気弁の第２のコネクタ５８から吸気空気チューブ５２に流れる。加えて、吸気弁の第２のコネクタ５８は、それ上に、連続抽気導管４９から吸気空気チューブ５２内につながる第２の連続抽気開口５１を含む。
【００６８】
吸気空気チューブ５２は、吸気空気チューブの近位端５４と吸気空気チューブの遠位端５６とを有している。開いたとき（すなわち吸気段階中）に、空気は、主吸気弁４２から吸気弁の第２のコネクタ５８を通って吸気空気チューブの近位端５４において吸気空気チューブ５２に流れる。空気はまた、空気が送風機２２を介して送風機入力チューブ３６に供給される間は、連続抽気導管４９から、吸気弁の第２のコネクタ５８を介して吸気空気チューブの近位端５４において吸気空気チューブ５２内に流れる。すなわち、連続抽気導管４９を通る空気の流れは、サイクルの段階に応じるものではなく、したがって、吸気段階および呼気段階中に起こる。連続抽気導管４９の直径は、通常は、０．５〜２．５ｍｍの範囲であり、それにより、連続抽気は、相対的に少量のものである。吸気サイクル中、空気が主吸気弁４２から吸気空気チューブ５２内に流れているとき、連続抽気導管４９から流れる空気は、主吸気弁４２からの空気と組み合わさり、空気流の総量に対して無視できるものである。呼気サイクル中、空気が主吸気弁４２から吸気空気チューブ５２内に流れていないとき、連続抽気導管４９から流れる空気は、流路のみに沿って継続する。吸気空気チューブの遠位端５６は出口１８までつながり、それにより、その中を流れる空気は患者に供給され、これは本明細書の以下においてさらに説明される。
【００６９】
本発明の実施形態では、流量計組立体７０が吸気空気チューブ５２内に含まれる。流量計組立体７０の位置は、本明細書に示され記載された位置に限定されず、吸気空気流路に沿った他の戦略的な場所に置かれてよいことが容易に明らかであるはずである。本明細書に示す実施形態では、流量計組立体は、第１の流量計ポート７２および第２の流量計ポート７４を含む。第１の流量計ポート７２と第２の流量計ポート７４との間に、吸気空気チューブ５２は、狭小にされた空気チューブ部分７６を有する。狭小にされた空気チューブ部分７６は、３〜８ｍｍの間の直径を有し、これは１４ｍｍの範囲である吸気空気チューブ５２の他の部分にある直径よりはるかに小さい。こうして狭小であることにより、圧力増大、すなわちオリフィスの２つの側間の圧力差を引き起こし、これは、狭小チャネルを通過する体積流量を引き出し、算出するために使用される。本明細書に示す実施形態における流量計組立体７０は、ベンチュリ流量計であり、例えば、米国特許第６，８０２，２２５号明細書に説明されるような流量計であってよい。このタイプの流量計は、非常に小さく正確である。しかし、流量計組立体７０は、例えば、熱線風速計、インペラ流量計、超音波、光学式、または人工呼吸器システム内の空気の流れを測定するように適切に適合され得る当技術分野で知られている任意の他のタイプの流量計などの任意の適切な流量計であってよい。
【００７０】
マニホールドブロック２４は、さらに、呼気弁ポート８２（図４および図５に示す）に連結された呼気弁コントローラ８４を含む。呼気弁ポート８２は、呼気弁８０につながる呼気チューブ８１につながり、これらはいずれも人工呼吸器１０の外側に配置され、例えば図１に概略的に示される。図４および図５に示すように、呼気弁コントローラ８４および呼気弁ポート８２は、マニホールドブロック２４上の第１および第２のソレノイド４４および４６の遠位に配置されている。呼気弁コントローラ８４および呼気弁ポート８２の位置は、本明細書に示すものに限定されない。呼気弁コントローラ８４は、例えば、ソレノイドであってもよく、いくつかの実施形態では、本明細書の上記で示したように比例制御を有することもできる。呼気弁コントローラ８４は、サイクルの呼気段階中に呼気弁８０を開き、サイクルの吸気段階中に呼気弁８０を閉じるように構成される。
【００７１】
マニホールドブロック２４は、さらに、送風機２２が動作を停止する状況で患者が呼吸することを可能にする窒息防止弁８５を含む。図４に示すように、窒息防止弁の出口８６は、マニホールドブロック２４の前部分３２に配置される。しかし、窒息防止弁８５の他の位置が可能であることは容易に明らかであるはずである。マニホールドブロック２４は、さらに、気圧外傷および他の肺損傷を防止するために、安全（すなわち高圧）弁９９（図８を参照）を含むことができる。本発明の実施形態では、安全弁９９は、送風機内に発生する圧力を限定するために使用されるハードウェア保護機構（例えばＲＰＭ、圧力、または他のソフトウェア実装の制限など）であってよい。図７では、マニホールドブロック２４の前部分を覆う取り外し可能な上部プレート８９が見られる。
【００７２】
次に、呼吸サイクルの吸気段階および呼気段階中の空気流路を示す、システム１００の気圧回路図である図８を参照する。タービン２２は、空気Ｏ２入口１８を介して、外気、および任意選択により、含酸素空気を受け取るように構成される。タービン２２は、送風機入力チューブ３６に空気を供給する。第１のソレノイド４４および第２のソレノイド４６の一方または両方が開いている場合、空気は、開いたソレノイド（または両方の開いたソレノイド）を通って主吸気弁４２まで流れ、患者につながる吸入チューブ内に入る。いずれの場合も、第１または第２のソレノイド４４または４６が開いているかどうかに関わらず、少量の空気が連続抽気開口４７を通って流れ、患者につながる吸入チューブ内に入る。主吸気弁４２から流出したガスは、タービン２２に送り返され得る。呼気段階中、呼気弁コントローラ８４は、制御ライン内の圧力を調整して、呼気チューブ上に配置された呼気弁８０を開く。呼気弁コントローラ８４から流出するガスは、送風機２２に送り返され得る。
【００７３】
次に、マニホールド２４内の主吸気弁４２の実施形態を示す部分切断断面図である図９Ａ、およびダイヤフラムおよび主吸気弁４２のカバーの上方に配置されたスペーサ６２の斜視図である図９Ｂを参照する。
【００７４】
主吸気弁４２は、ダイヤフラム６０の開閉を介して機能する。ダイヤフラム６０は、可撓性材料、例えばシリコーンからなり、吸気弁の第１のコネクタ５０内につながる開口部５３の上に配置される。ダイヤフラム６０は、上から下の方向に移動するように構成され、上の位置では、開口部５３は、空気の流れに対して開き、下の位置では、ダイヤフラム６０は、開口部５３を覆い、したがって吸気空気チューブ５２に入る空気流を遮る。ダイヤフラム６０が上または下の位置になる動き（すなわち主吸気弁４２の開閉）は、ダイヤフラム６０の上方に見られる開口部９８を有するチャネルを介して、第１および第２のソレノイド４４および４６の一方または両方によって制御される。図では、空気式ソレノイド弁に圧力を供給するための導管２０４につながる入口およびソレノイド弁排気口４５が見られる。
【００７５】
本発明のいくつかの実施形態では、ダイヤフラム６０は、スペーサ６２の下に配置され、ダイヤフラム６０が上方向に動くことができる程度を制限する。スペーサ６２は、ダイヤフラム６０との間のガスの通過を可能にする通気窓９７を有することができる。図９Ｂに示すスペーサ６２は、開口部５３を覆う適所にダイヤフラムを保持するために使用できる多くの可能な方法のうちの１つにすぎない。
【００７６】
図１０は、流量計に連結されていないマニホールドブロック２４’の一実施形態の斜視図を概略的に示す。この実施形態では、流量計は、人工呼吸器の外側のチュービングシステムに組み込まれる。これにより、図４〜７のようにマニホールドブロックに取り付けられた流量計を備えた人工呼吸器と比較して、人工呼吸器の重量およびサイズの低減を可能にする。
【００７７】
本発明の実施形態を例示として説明してきたが、本発明は、特許請求の範囲を超えることなく、多くの変形、改変、および適合を伴って実施され得ることが理解されよう。
【図１Ａ】
2019506966.tif 000003
【図１Ｂ】
2019506966.tif 000004
【図２Ａ】
2019506966.tif 000005
【図２Ｂ】
2019506966.tif 000006
【図３Ａ】
2019506966.tif 000007
【図３Ｂ】
2019506966.tif 000008
【図４】
2019506966.tif 000009
【図５】
2019506966.tif 000010
【図６】
2019506966.tif 000011
【図７】
2019506966.tif 000012
【図８】
2019506966.tif 000013
【図９Ａ】
2019506966.tif 000014
【図９Ｂ】
2019506966.tif 000015
【図１０】
2019506966.tif 000016
【国際調査報告】
2019506966.tif 000017
2019506966.tif 000018